(57)【特許請求の範囲】
【請求項１】
電気スイッチ要素（１）のための構成であって、
前記電気スイッチ要素（１）は、コイル部材（３）と、ヨークの一面に立設するように形成された少なくとも１つのヨーク部材（１５）を有するヨーク（７）と、前記電気スイッチ要素（１）を電気的に制御するための制御モジュール（１９）とを有し、
前記制御モジュール（１９）に含まれる電気的構造要素（２１）が、前記ヨーク部材（１５）と前記コイル部材（３）との間に配置され、
前記制御モジュール（１９）は、前記コイル部材（３）上の接続要素（６１）に接続できるように構成される電気的接続要素（５９）を有し、
前記コイル部材（３）は、前記ヨークの一面に臨む第１面側に、前記ヨーク部材（１５）に向かって突出し、前記接続要素（６１）が配置される組立フランジ（３５）を有し、
前記組立フランジ（３５）と、前記制御モジュール（１９）における前記電気的構造要素（２１）を受容する部分とが、前記組立フランジと前記ヨークの一面との間に位置し、周縁に側壁を有する絶縁キャップ（３７）内に受容される、
ことを特徴とする構成。
【請求項２】
前記制御モジュール（１９）が、前記電気的構造要素（２１）がその中に配置されるポケット（６５）を有し、
前記ポケット（６５）が、前記ヨーク部材（１５）から離れるように延在する保護壁（６９）を有することを特徴とする、
請求項１に記載の構成。
【請求項３】
前記制御モジュール（１９）が、前記ヨーク（７）の凹部（４５）を通って前記ヨーク（７）の外側まで延在することを特徴とする、
請求項１または請求項２に記載の構成。
【請求項４】
前記制御モジュール（１９）が、前記凹部（４５）内に変位可能に受容されることを特徴とする、請求項３に記載の構成。
【請求項５】
前記凹部（４５）が、前記ヨーク部材（１５）の自由端（５１）に向かって開いていることを特徴とする、請求項３または４に記載の構成。
【請求項６】
前記制御モジュール（１９）には、少なくとも前記制御モジュール（１９）の最終組立位置において前記ヨーク（７）の凹部（４５）を切り欠いて前記ヨーク（７）に形成された受容部材（５７）を通って延在し、前記ヨーク（７）の外側に位置する前記制御モジュール（１９）の接続部（２３）を補強する、少なくとも１つの突出部（５３）が設けられる、
請求項３から５のいずれか一項に記載の構成。
【請求項７】
前記制御モジュール（１９）が、前記ヨーク（７）の外側に、前記制御モジュール（１９）を他の要素と電気的に接続するための端子（２５）を含む接続部（２３）を有することを特徴とする、
請求項１から６のいずれか一項に記載の構成。
【請求項８】
前記コイル部材（３）において前記第１面の反対側に位置する第２面側に、前記制御モジュール（１９）を取り付けることのできる少なくとも１つの固定要素（６４）が設けられるヨークプレート（１３）が設けられることを特徴とする、
請求項１から７のいずれか一項に記載の構成。
【請求項９】
前記コイル部材（３）および前記制御モジュール（１９）が、事前組立されて前記ヨークの中に一体に導入することのできる組立体ユニット（４１）を形成できるように構成されることを特徴とする、
請求項１から８のいずれか一項に記載の構成。
【請求項１０】
前記ヨーク（７）が、前記ヨークの内側の中に突出しかつ少なくとも前記ヨーク部材（１５）に対向する領域（４７）において平らになった部分（６３）を有するソケット（４６）を有することを特徴とする、
請求項１から９のいずれか一項に記載の構成。
【請求項１１】
請求項１から１０のいずれか一項に記載の構成を有する電気スイッチ要素。
【発明の詳細な説明】
【技術分野】
【０００１】
本発明は、電気スイッチ要素に関する。また、本発明は、コイル部材と、少なくとも１つのヨーク部材を有するヨークと、スイッチ要素を電気的に制御するための制御モジュールとを有する、電気スイッチ要素の構成、特に接触器またはリレーの構成に関する。
【背景技術】
【０００２】
電気スイッチ要素、たとえば電気自動車／ハイブリッド自動車における単安定（monostable）の接触器またはリレーは、多くの場合、そのスイッチ要素を少なくとも部分的に制御する制御モジュールを有する。たとえば、制御モジュールは、切り替え動作が解放された後の制御電力を低減し得る。これは、パルス幅変調、または低い抵抗の作動巻線をより高い抵抗のスイッチ巻線へと切り替えることによって行うことができる。
【０００３】
切り替えに必要とされ、また切り替え動作を始動するために必要である高い始動電力レベルがスイッチ要素の動作時間に制限されるならば、スイッチ要素を切り替え後の位置に保持するために必要な電力を制限することができる。リレーにおけるエネルギーの逆流がこれにより低減され、また、磁気コイルによる環境内への熱投入が実質的に低減される。したがって、制御モジュールが使用される場合、コイル部材に必要とされる構造上の空間を小さくすること、およびスイッチ要素を駆動するために必要な駆動システムを減らすことが可能である。
【発明の概要】
【発明が解決しようとする課題】
【０００４】
本発明の目的は、良好な組立および接続の可能性を維持しつつ、電気スイッチ要素のサイズをさらに低減することである。
【課題を解決するための手段】
【０００５】
この目的は、上述の構成および上述のスイッチ要素に関する本発明により、制御モジュールをヨーク部材とコイルとの間に配置するという形で、達成される。
【０００６】
制御モジュールをヨーク部材とコイルとの間に配置することによって、スイッチ要素のサイズをさらに低減すること、および構造上の空間を節減することが可能である。
【０００７】
本発明のこの基本概念を、それ自体有利でありかつ互いに独立して組み合わせることのできる以下の任意選択の発展形態によって、改善することができる。
【０００８】
したがって、第１の有利な発展形態によれば、制御モジュールは、電気的構造要素が中に配置されるポケットを、好ましくはプリント回路基板上に有し得る。このポケットは、ヨーク部材から離れるように延在する保護壁を有し得る。この保護壁により、多くの状況において切り替えられることになる電源電流の電位にあるヨーク部材の間の、クリープ電流経路を長くすることが可能となる。電気的構造要素は、スイッチ要素の制御のために使用される。
【０００９】
ポケットは、たとえばプリント回路基板をコイル側からポケット内に配置することができるように、コイルの方向に開いていてよい。別法として、ポケットの狭い側面のうちの１つからポケットの中へとプリント回路基板を押し込むことができるように、ポケットを構築することもできる。
【００１０】
ヨークの形態は多くの場合、スイッチ要素の設置状況によって、または切り替えられることになるコンタクトが中に配置されるコンタクトスイッチチャンバの幾何学形状によって、決定される。ただし多くの場合、ヨークは、Ｕ字形状の開いている側が別個のヨークプレートによって閉じられているかまたは閉じることのできる、Ｕ字形状の基部部材を有することになる。
【００１１】
コンタクトスイッチチャンバの輪郭が矩形形状である場合、ヨークの基部の面も矩形であることが有利である。ヨーク部材は特に、垂直に、コイル部材の長手軸と平行に延在し得る。プリント回路基板の平面は、好ましくは、ヨーク部材の平面と平行に延在する。
【００１２】
ポケットを、プリント回路基板が中に配置される別個のキャリアによって形成することができる。そのようなキャリアは、好ましくは射出成形された構成要素である。
【００１３】
電気スイッチ要素の組立体を可能な限り単純に構成するために、プリント回路基板または電気的構造要素を有する制御モジュール、および任意選択でキャリアを、好ましくは事前組立された組立体ユニットとすることができる。事前組立された組立体ユニットを、たとえばコイル部材に、単純に接続することができる。
【００１４】
別の有利な実施形態によれば、制御モジュールは、コイル部材上の相補接続要素（complementary elements）に接続できるように構成される、電気的接続要素を有し得る。制御モジュールが、本発明によれば、ヨーク部材とコイル部材との間に、したがってコイル部材の非常に近くに配置されるので、コイル部材および制御モジュールを、これらの間に配線を必要とすることなく、互いに直接接続することができる。接続要素および相補接続要素は、コネクタおよび相手側コネクタを形成することができ、挿入方向は、好ましくはコイル軸に対して垂直方向に延在する。
【００１５】
コイル部材上の相補接続要素は、たとえば絶縁変位接続（insulation displacement connection）を介して、コイルワイヤと直接接触していてよい。
【００１６】
制御モジュールの支持および／または制御モジュールへの容易な電気的接触を可能とするために、制御モジュールは、ヨーク、特にヨーク部材の凹部を通って、ヨークの外側まで延在し得る。制御モジュールに関する外向きに延在する部分に、ヨークの外側からアクセス可能な電気的接続要素を設けることができる。
【００１７】
「外側の」の用語は、ヨークの容積の外側に位置する空間を指すことを意図する。ヨークの容積の内側の空間は、「内側の」の用語を使用して言及される。制御モジュールは有利には、組立が確定した状態において、凹部に隣接する。
【００１８】
制御モジュール、特にキャリアは、ヨーク部材の平面と平行に突出する案内および保持鍔部を有し得る。組み立てられた状態では、ヨーク部材は、制御モジュールと案内および保持鍔部との間にあるような配置構成で受容される。案内および保持鍔部は、組立が確定した制御モジュールにおいて外側で、ヨーク部材に隣接することができる。ただし、ヨーク部材上への制御モジュールの組み付けの間に、不必要に強い力が必要とされないように、この場所においてプレス嵌めが行われないことを確実にすべきである。
【００１９】
制御モジュールが凹部内に変位可能に受容される場合、さらに有利である。特に、制御モジュールを、その確定組立位置へと変位させることによって、移動可能に受容することができる。凹部は、確定組立位置において制御モジュールが凹部内で係合するような捕捉手段（catch means）を有し得る。
【００２０】
凹部がヨーク部材の自由端に向かって開いている場合、特に単純な組立作業が可能である。ヨーク部材の自由端はたとえば、ヨークプレートに面することができる。この実施形態では、スイッチ要素を、自由端から凹部に沿ってその確定組立位置へと単純に変位させることができる。
【００２１】
ヨーク部材上での制御モジュールの機械的保持を補強するために、別の有利な実施形態によれば、制御モジュールに、少なくとも１つの突出部を設けることができる。この突出部は、少なくとも制御モジュールの確定組立位置において、ヨーク、特にヨーク部材の相補受容部材を通って延在し得る。突出部は、たとえばリブ状とすることができる。さらに、受容部材を、凹部に接続することができる。この例では、受容部材は、制御モジュールが凹部に沿って確定組立位置へと変位可能な方向において、好ましくは凹部から離れるように延在する。このようにして、突出部は、制御モジュールが確定組立位置へと変位されるときに、受容部材の中へと自動的に押し込まれる。受容部材および突出部は、制御モジュールに対して作用する力を受ける場合がある、ポジティブロック接続を作り出す。
【００２２】
コイル部材には、表側に、制御モジュールに接続される、ヨーク部材に向かって前向きに突出する組立フランジを設けることができる。この組立フランジは、残るコイル部材に対して側方に突出して、制御モジュールに関して接続を可能にする。組立フランジは、スイッチ要素のスイッチコンタクトおよび／またはヨークプレートから離れるように面を向けるコイル部材側に配置されることが好ましい。コイルを組立フランジによって妨げられることなく巻回できるように、組立フランジは、コイル部材上に巻かれたコイルと、半径方向において重なり合うべきではない。
【００２３】
スイッチモジュールのコイルワイヤへの接続を媒介する、相補接続要素を、特に組立フランジ上に配置することができる。
【００２４】
コイル部材の組立フランジ上の相補接続要素は、好ましくは、組立フランジにおいて、コイル部材の長手軸に対して垂直に延在する。ヨークが、完全に組み立てられたスイッチ要素においてコイルの内側の中に延在するソケットを有する場合、このソケットは、相補接続要素のために必要な空間を提供するために、ヨーク部材に対向する領域において、平らになった部分を少なくとも部分的に有し得る。そのような平らになった部分を、たとえば、ソケットのビード状の周縁の当接フランジ上に、特に設けることができる。
【００２５】
組立フランジは好ましくは、ヨークの容積の内側において、ヨーク部材に対して垂直に、コイル部材からスイッチモジュールまで延在する。
【００２６】
組立フランジは、それ自身がコイル部材の表側に位置するため、いくつかの状況下ではヨークの非常に近くにあり、このため、ヨーク、コイル部材、相補接続要素、接続要素、および／または制御モジュールとの間のクリープ電流を防止するためのいくつかのステップを行わなければならない。この目的のために、絶縁キャップを設けることができる。絶縁キャップは、好ましくは組立フランジとヨークとの間にあり、好ましくは、特に周縁にある側壁を有する、ノブ状またはカップ状である。
【００２７】
スイッチ要素の組立をより容易にするために、制御モジュールおよびコイル部材を、絶縁キャップ内で一緒に受容することができる。この目的のために、制御モジュールおよびコイル部材は、事前組立されてヨークおよび／または絶縁キャップの中に一体に導入することのできる組立体ユニットを形成可能なように構成することができる。この組立体ユニットに、追加の要素として絶縁キャップを追加することができ、この結果、制御モジュール、コイル部材、および絶縁キャップを、ヨークの中に一緒に導入することができる。別法として、最初に絶縁キャップをヨークの中に導入し、次にコイル部材および制御モジュールを備える組立体ユニットを絶縁キャップの中に導入することも可能である。
【００２８】
上述したように、ヨークの磁気回路を閉じるヨークプレートを、コイル部材の表側、特にその組立フランジの反対側の表側に設けることができる。ヨークプレートには、制御モジュールを取り付け可能な少なくとも１つの固定デバイスが好ましくは設けられる。制御モジュールおよびヨークプレートを、固定デバイスを介して、たとえばポジティブロック式で、互いに接続することができる。そのような実施形態では、制御モジュールおよびヨークプレートを最初に事前組立することができ、たとえばコンタクトスイッチチャンバなど、スイッチ要素の追加の構成要素を、ヨークプレートに接続し、組立体ユニットを形成することができる。
次いでこの組立体ユニットを、コイル部材に接続して、別の組立体ユニットを形成することができる。続いて、この別の組立体ユニットは、絶縁キャップを用いてまたは用いずに、ヨークの中に導入される。ヨーク内のおよびヨークプレート内の磁気回路を不必要に妨害しないために、ヨークプレートおよび制御モジュールは、好ましくはヨークの外側で互いに接続される。
【００２９】
本発明を、例示の実施形態および図面を参照して、以下でより詳細に説明する。この実施形態において記載される特徴の組合せは、上記の説明に従って変更することができる。したがって、個々の特徴に結び付けられた効果が特定の用途において重要な態様ではない場合、その特徴を省略することが可能である。
【図面の簡単な説明】
【００３０】
【図１】本発明によるスイッチ要素の概略斜視図である。
【図２】図１のスイッチ要素の概略分解図である。
【図３】図１および図２に既に示したスイッチモジュールの、概略斜視図である。
【発明を実施するための形態】
【００３１】
最初に、本発明による電気スイッチ要素１の構造を、図１を参照して、一般的な観点から説明する。
【００３２】
電気スイッチ要素１、たとえば接触器またはリレーは、コイル５が巻回されるコイル部材３を有する。さらに、矩形の基部面９および特に平行六面体の容積を有し得るヨーク７、特にＵ字形状のヨークが提供される。コイル部材３は、ヨーク７の容積１１内に受容される。ヨークを、別個のヨークプレート１３によって閉じることができる。このヨークプレート１３は、代替の実施形態では、一体的にヨーク７の一部とすることができる。
【００３３】
少なくとも１つのヨーク部材１５が、コイル部材３またはコイル５の長手軸１７と平行に延在する。
【００３４】
制御モジュール１９は、コイル部材３と、ヨーク７、特にそのヨーク部材１５との間に配置される。制御モジュール１９は、たとえば時間および／または大きさに関して切り替え電流を制限する目的で、スイッチ要素１を電気的に制御するために使用される。図１が示すように、制御モジュール１９は、電気的構造要素２１を有する。制御モジュールは、好ましくはヨーク７の容積１１の完全に内側に配置される。ヨークの外側から、接続部２３を介して制御モジュール１９に電気的に接触することができる。この目的のために、接続部２３に端子２５を設けることができる。
【００３５】
長手軸１７の方向において、コンタクトチャンバモジュール２７がヨーク７に、図１ではヨークプレート１３の側面に、隣接する。コンタクトチャンバモジュール２７は、電気スイッチ要素１のスイッチコンタクト（図示せず）を受容する。これらのコンタクトを切り替えることが意図されており、またこれらは、コイル５によって駆動され得る駆動要素３１によって移動される。駆動要素３１は、コイル部材３の表側２９で、コンタクトチャンバモジュール２７の内側の中に延在する。
【００３６】
コイル部材３には、組立フランジ３５が設けられる。組立フランジ３５は、その表側のうちの１つにおいて、好ましくはコイル５に対して一方側で制御モジュール１９またはヨーク部材１５の方向に突出する。図１の実施形態では、これは、単に例示として、ヨークプレート側の表側２９の反対側でありかつコンタクトチャンバモジュール２７から離れる方向に向けられる、表側３３である。組立フランジ３５は、コイル部材３に巻回できるように、コイル部材３の長手方向１７に対する横断方向において、コイル５と好ましくは重なり合わない。組立フランジ３５は、図１が示すように、ヨーク部材１５の周りに垂直に延在し得る。制御モジュール１９は、組立フランジ３５を介して、コイル部材３に電気的に接続される。
【００３７】
絶縁キャップ３７は、表側３３にあり、制御モジュールはここでコイル部材３に電気的に接続される。絶縁キャップは、好ましくは周縁にある壁３９を有するカップ状である。コイル部材３および制御モジュール１９は、絶縁キャップ内に配置される。絶縁キャップは、ヨーク７と、組立フランジ３５とコイル部材３との間の接続部との間の、クリープ電流経路を長くするために使用される。
【００３８】
電気スイッチ要素１は、一体に取り扱うことのできる少数の事前組立された組立体ユニットから構築されるため、容易に組み付けることができる。図２はこれを示している。
【００３９】
これに応じて、第１の組立体ユニット４１は、コンタクトチャンバモジュール２７に取り付けられるコイル部材３を備える。この第１の組立体ユニットから、制御モジュール１９を取り付けることにより第２の組立体ユニット４３が形成され、次いでこの第２の組立体ユニット４３が、ヨーク７の中に導入される。絶縁キャップ３７を、第２の組立体ユニット４３が導入される前にヨーク７の中に挿入することができるか、または第２の組立体ユニット４３上に事前組立することもできる。
【００４０】
この構造の変形例では、第１の組立体ユニット４１を、コイル部材３および制御モジュール１９から形成することもでき、コンタクトチャンバモジュール２７を第１の組立体ユニット４１上に配置して、第２の組立体ユニット４３を形成する。
【００４１】
図２は、本発明によるスイッチ要素１の、追加の例示の特徴を示す。
【００４２】
たとえば、ヨーク部材１５は凹部４５を有する。制御モジュール１９、特にその接続部２３は、凹部４５を通って延在する。
【００４３】
ソケット４６は、ヨークの基部面９からヨーク７の内側に突出することができる。ソケット４６は、スイッチ要素１が完全に組み立てられるとき、コイル５またはコイル部材３の内側に突出する。ソケット４６は、その基部に、好ましくは周縁の当接フランジ４７を有することができる。当接フランジ４７は、ほぼビード状であり、残るソケット４６から半径方向に突出する。
【００４４】
制御モジュール１９は、案内および保持鍔部（guiding and retaining collar）４８を有し得る。制御モジュールが装着されると、案内および保持鍔部４８は、ヨーク部材１５の平面と平行に延在する。案内および保持鍔部４８は好ましくは、このヨーク部材１５の中に、周縁にあるように、制御モジュールから離れる方向に向かうように突出する。図１が示すように、ヨーク部材は、確定組立位置において、制御モジュール１９の後部壁と案内および保持鍔部との間にある。案内および保持鍔部は、ヨーク部材１５に外部で隣接し得る。
【００４５】
制御モジュールを、好ましくはコイル部材３の長手軸１７の方向において、凹部４５内に変位可能に受容することができる。特に、確定組立位置には、制御モジュール１９を凹部４５に沿って変位させた後で到達する。
【００４６】
凹部４５は、ヨーク部材１５の自由端５１に向かう方向に開いていてよい。これにより、制御モジュール１９を、上方から凹部に沿ってコイル部材３の長手軸１７の方向に確定組立位置へと押し込むことが可能となる。案内および保持鍔部は、制御モジュール１９をさらに支持して、制御モジュールに対して作用する力が、安定的なヨーク７の中へと向かうようにする。
【００４７】
さらに、制御モジュール１９を、突出部５３、この例ではリブ形状の突出部５３によって、さらに支持することができる。突出部５３は有利には、制御モジュール１９が凹部４５内で変位可能な方向に延在する。目下の実施形態では、これは長手軸１７の方向であるが、他の方向も可能である。長手軸１７の方向に変位可能であることは、凹部４５によって、特に、ヨーク部材１５の自由端５１にヨークプレート１３において係合する固定要素５５が設けられるために凹部４５が外向きに開いているときに、ヨーク部材１５が弱くならないという利点を有する。
【００４８】
そのような実施形態では、凹部４５には、突出部５３に対応するように構築される受容部材が設けられる。受容部材５７は、制御モジュール１９の変位方向において凹部４５から離れるように延在する。
【００４９】
制御モジュール１９の接続部２３を、プラグ状で構築することができる。例示した実施形態では、接続部２３は、凹部４５に関するポジティブロック接続の結果として、保持要素としての二重の機能も実行する。
【００５０】
図２でさらにわかるように、制御モジュール１９には、コイル部材３の側からアクセス可能となるように配置される、電気的接続要素５９が設けられる。
【００５１】
たとえば、電気的接続要素５９は、コイル部材３に向かって突出する、ブレード状のコンタクトブレードである。
【００５２】
組立フランジ３５には、その制御モジュール１９に面する側に、相補接続要素６１が設けられる。コイル部材３の相補接続要素６１は好ましくは、たとえば絶縁変位接続を介して、コイル５のコイルワイヤ（図示せず）に直接接触する。
【００５３】
接続要素５９を、制御モジュール１９の後部壁４９からコイル部材３に面する側に容易に導入することができる。さらに、組立フランジおよび制御モジュールを、追加の固定要素、たとえば捕捉接続部を介して、互いに接続することができる。別法として、接続要素５９、接続要素６１は、十分な保持力を生成することもできる。
【００５４】
相補接続要素６１は、長手軸１７に対して垂直な方向において、設置長さ６２を有する。長さ６２が大きい場合は、相補接続要素６４のための空間を提供するために、ソケット４６および／または当接フランジ４７上に、平らになった部分６３を設けねばならない場合がある。別法としてまたは追加として、たとえば、ソケットおよび／または当接フランジの壁の厚さを、相補接続要素の反対側で小さくしてもよい。
【００５５】
しかしながら、組立フランジ３５に不必要に荷重をかけないため、ヨーク７、特にヨークプレート１３を介して、コイル部材３と制御モジュール１９との間の機械的接続を行うことが有利である。この目的のために、ヨークプレートには、固定要素６３、たとえば制御モジュール１９に向かって突出する捕捉突出部を設けることができる。この捕捉突出部は、制御モジュール１９と、ヨーク７またはコイル部材３との間の機械的接続が、ヨーク７の外側で行われるように、ヨーク７およびヨーク部材１５の容積を越えて突出し得る。図２の実施形態では、ヨークプレート１３の固定要素６４と相補の関係にある制御モジュール１９の固定要素は、確定組立位置において、接続部２３の領域内に、すなわちヨーク７の外側に配置される。
【００５６】
最後に、制御モジュール１９の可能な構造について、図３を参照して以下でより詳細にさらに記載する。
【００５７】
制御モジュール１９は、少なくとも１つのプリント回路基板６７を受容するポケット６５を有し得る。電気的構造要素２１は、プリント回路基板６７上に配置される。
【００５８】
ポケット６５は、プリント回路基板６７を越えて突出しかつヨーク部材１５（図１を参照）から離れるように突出する、少なくとも３つの側部保護壁６９を有する。保護壁６９は、ヨーク部材１５とプリント回路基板６７との間のクリープ電流経路を長くするために使用される。保護壁６９は、制御モジュール１９を組み立てる前に、構造要素２１をさらに保護する。
【００５９】
プリント回路基板６７は、制御モジュール１９内に、ヨーク部材１５および長手軸１７と平行に位置する。単に例示として、ポケット６５は、図３ではコイル部材３に向かって開いており、この結果、プリント回路基板をこの側からコイル部材の中に配置することができるようになっている。ポケット６５をこの場所で閉じること、およびプリント回路基板を狭い側面７１のうちの１つを通してポケット６５の中に押し込むことも考えられる。
【００６０】
制御モジュール１９は、事前組立されたプリント回路基板６７とともに、事前組立された組立体ユニットをも形成する。この目的のために、プリント回路基板は、好ましくはプラスチック材料から射出成形されかつ接続部２３をも形成する、ワンピースのキャリア７３内に保持される。
【符号の説明】
【００６１】
１  電気スイッチ要素
３  コイル部材
５  コイル
７  ヨーク
９  基部面
１０  ソケット
１１  ヨークの容積
１２  当接フランジ
１３  ヨークプレート
１４  平らになった部分
１５  ヨーク部材
１７  コイル部材の長手軸１
１９  制御モジュール
２１  電気的構造要素
２３  制御モジュールの接続部
２５  接続部の端子
２７  コンタクトチャンバモジュール
２９  コイル部材の表側
３１  駆動要素
３３  コイル部材の表側
３５  組立フランジ
３７  絶縁キャップ
３９  絶縁キャップの壁
４１  第１の組立体ユニット
４３  第２の組立体ユニット
４５  ヨーク部材の凹部
４６  ソケット
４７  当接フランジ
４８  案内および保持鍔部
４９  制御モジュールの後部壁
５１  ヨーク部材の自由端
５３  制御モジュールの突出部
５５  ヨーク部材の固定要素
５７  受容部材
５９  制御モジュールの電気的接続要素
６１  コイル部材の相補接続要素
６２  コイル部材の相補接続要素の設置長さ
６３  平らになった部分
６４  ヨークプレートの固定要素
６５  ポケット
６７  プリント回路基板
６９  保護壁
７１  狭い側面
７３  キャリア
【図１】
0006393315.tif 000002
【図２】
0006393315.tif 000003
【図３】
0006393315.tif 000004